(57)【要約】【課題】  ＲＦＩＤを用いて複数の郵便物から同時に配達情報を確実に読出すことができる無線タグケースを提供すること。【解決手段】  ＲＦＩＤが付された被検知物を収納するケース本体１１yと、このケース本体１１yを複数の収納室に仕切る仕切り板１２とを具備し、この仕切り板は電磁吸収体で構成されていることを特徴とする。【選択図】      図１
2005165457.tif 000002
【特許請求の範囲】
【請求項１】
ＲＦＩＤが付された被検知物を収納するケース本体と、
このケース本体を複数の収納室に仕切る仕切り板とを具備し、
この仕切り板は電磁吸収体で構成されていることを特徴とする無線タグケース。
【請求項２】
前記仕切り板内には導体を含んでいないことを特徴とする請求項1記載の無線タグケース。
【発明の詳細な説明】
【技術分野】
【０００１】
本発明は、例えば郵便物のような配達物に付されているＲＦＩＤの内容を読み取るＲＦＩＤ読取装置に用いられる無線タグケースに関する。
【背景技術】
【０００２】
最近バーコードに代わる物品識別技術としてＲＦＩＤ（Radio Frequency Identification）が普及されて来ている。ＲＦＩＤは識別情報を半導体集積回路チップ内に記憶し、記憶された識別情報は無線電波を介して非接触で読み取り可能である。ＲＦＩＤの半導体集積回路チップは、無線電波から電力を受け取るため、ＲＦＩＤ側には電源は不要である。ＲＦＩＤは小形であり、荷札のような感覚で容易に物品に添付することができる。従って、ＲＦＩＤは非接触で識別情報を読取り可能な無線タグと呼ばれている。
【０００３】
このようなＲＦＩＤを用いて物品を管理する物品管理システムが知られている（例えば、特許文献１参照）。
【０００４】
ところで、差出人により投函された郵便物は差出局、中継局、配達局を経由して受取人に配達される。このように郵便物を円滑に各局を経由させるために、郵便物に配達情報を記録しているバーコードが付与されている。
【特許文献１】特開２００２−２４０９１３
【発明の開示】
【発明が解決しようとする課題】
【０００５】
このようなバーコードに記録された配達情報はバーコードリーダで読み出されていた。
【０００６】
このバーコードリーダで読み取れる郵便物は１つだけであるため、郵便物を纏めて収納している袋から取り出さなければならなかった。
【０００７】
つまり、同時に多数の郵便物の配達情報を確実に読み出すことはできなかった。
【０００８】
そこで、ＲＦＩＤを郵便物に取り付けて、このＲＦＩＤに記録された配達情報をＲＦＩＤリーダで読み出すことも考えられている。
【０００９】
この際に、ＲＦＩＤを付された郵便物は１つのケースに複数の収納室に分けて収納し、各収納室に対応してＲＦＩＤリーダ用のアンテナを配置することが考えられている。
【００１０】
しかし、隣接する収納室に収納された郵便物のＲＦＩＤにアンテナから放射された無線電波が漏れてしまうと、隣接する郵便物のＲＦＩＤの読み取り処理が正常に行われる確率が低下するという問題が発生する。
【００１１】
本発明は、上記の点に鑑みてなされたもので、その目的は、ＲＦＩＤを用いて複数の郵便物から同時に配達情報を確実に読出すことができる無線タグケースを提供することにある。
【課題を解決するための手段】
【００１２】
本発明は、ＲＦＩＤが付された被検知物を収納するケース本体と、このケース本体を複数の収納室に仕切る仕切り板とを具備し、この仕切り板は電磁吸収体で構成されていることを特徴とする。
【発明の効果】
【００１３】
本発明によれば、ＲＦＩＤを用いて複数の郵便物から同時に配達情報を確実に読出すことができる無線タグケースを提供することができる。
【発明を実施するための最良の形態】
【００１４】
以下図面を参照して本発明の第１の実施の形態について説明する。図１は郵便物を収納した収納器としての郵袋が載置されたＲＦＩＤ読取装置を示す図である。図において、１０はＲＦＩＤ読取装置である。このＲＦＩＤ読取装置１０上には郵袋１１が載置される。ここで、１１yは郵袋１１のケース本体である。この郵袋１１は仕切り板１２により複数の収納室１１ａ〜１１ｇに分けられている。仕切り板１２は例えばフェライト材のような磁気吸収体で構成される。この磁気吸収体内部には導体は含んでいない。
【００１５】
収納室１１ａ〜１１ｆには定形郵便物が収納され、収納室１１ｇには定形外郵便物が収納される。郵袋１１の側面には郵袋１１内に何通の郵便物が収納されているかの情報が記憶されている表札タグ１３が取り付けられている。この表札タグ１３もＲＦＩＤにより構成されている。郵袋１１に郵便物が収納された後は、蓋部材（図示しない）により上部開口部に蓋がされる。
【００１６】
ＲＦＩＤ読取装置１０には図５を参照して説明するような制御部等が内蔵されている。
【００１７】
ＲＦＩＤ読取装置１０の上面１０ａの内側には、図３に示すように無線電波を送受信するアンテナ１〜８が埋設されている。これらアンテナ１〜８の埋設位置は、郵袋１１の収納室１１ａ〜１１ｇに対向する位置に埋設されている。
【００１８】
また、ＲＦＩＤ読取装置１０には表示装置２０が接続されている。
【００１９】
なお、郵袋１１に収納される郵便物には、図２に示すようにＲＦＩＤ２１が取り付けられている。
【００２０】
ＲＦＩＤ読取装置１０内は、図５に示すように例えばマイクロプロセッサより構成される制御部３１を備えている。この制御部３１には、アンテナ１〜８が接続されると共に前述した表示装置２０が接続されている。この制御部３１によりアンテナ１〜８の送受信を制御している。
【００２１】
アンテナ１〜８はそれぞれ図４に示すような指向性を有する。図４において、４１はアンテナ１〜８を代表するアンテナである。アンテナ４１はアンテナ４１の平面状の放射面に対して鉛直方向に図４のハッチングＡで示したような読取可能領域を有する。言い換えれば、図４のハッチングＢに示すような読取不可能領域を有する。
【００２２】
次に、上記のように構成された本発明の一実施の形態の動作について説明する。まず、投函された郵便物は差出局において郵袋１１に収納されて蓋がされる。この郵袋１１の側面に取り付けられている表札タグ１３には郵袋１１に収納された郵便物の数が記録される。そして、この郵袋１１はトラックで中継局に配送される。
【００２３】
この中継局において、郵袋１１が取り出されてＲＦＩＤ読取装置１０上に載置される。
【００２４】
以下、アンテナ１〜８から無線電波が対応する収納室１１ａ〜１１ｆに送信される。この無線電波は、例えば２．４５GHzで送信される。
【００２５】
以下、アンテナ１〜３を一例にとって動作を説明する。アンテナ１から送信される無線電波ａ１は収納室１１ａに収納されている郵便物のＲＦＩＤ２１で受信される。そして、ＲＦＩＤ２１はアンテナ１から送信される無線電波ａ１から電力を得て、アンテナ１に配達情報を送信する。
【００２６】
ところで、アンテナ１から送信される無線電波の中には、ａ２に示すように隣接する収納室１１ｂに向かうものもある。しかし、この無線電波ａ２は収納室１１ａと１１ｂを仕切る電磁吸収体よりなる仕切り板１２により吸収されるため、収納室１１ｂに収納されている郵便物のＲＦＩＤ２１には到達しない。
【００２７】
このようにして、収納室１１ｂに収納されている郵便物のＲＦＩＤ２１は収納室１１ａから出力される無線電波に反応することはない。つまり、収納室１１ｂに収納されている郵便物のＲＦＩＤ２１の誤作動を防止することができる。
【００２８】
また、アンテナ２から送信される無線電波についても同様である。つまり、アンテナ２から送信される無線電波は、収納室１１ｂに収納されている郵便物のＲＦＩＤ２１で受信されるが、収納室１１ａあるいは１１ｃに収納されている郵便物のＲＦＩＤ２１では受信されない。
【００２９】
また同様に、アンテナ３から送信される無線電波は、収納室１１ｃに収納されている郵便物のＲＦＩＤ２１で受信されるが、収納室１１ｂに収納されている郵便物のＲＦＩＤ２１では受信されない。
【００３０】
これは、収納室１１ａと１１ｂとの間、収納室１１ｂと１１ｃとの間が電波吸収体よりなる仕切り板１２で仕切られているからである。
【００３１】
このように、アンテナと収納室とを１対１に対応させることにより、ＲＦＩＤを用いて複数の郵便物から同時に配達情報を確実に読出すことができる無線タグケースを提供することができる。
【００３２】
ところで、アンテナ１から送信される無線電波は、２．５GHzであるため、その波長は約１２cmである。郵便物に取り付けられたＲＦＩＤ２１はその無線電波から電力を起動して、配達情報をアンテナ１に送信している。従って、ＲＦＩＤ２１の周囲８／λ内に導体が存在すると、ＲＦＩＤ２１が電波を送受信できないことが予想される。このような場合には、仕切り板１２に用いられる電波吸収体は導体を含まないようにする。
【００３３】
なお、上記した実施の形態において、郵袋１１内を複数の収納室に仕切る仕方は上記した実施の形態に限定するものではない。
【００３４】
更に、上記した実施の形態は郵便物に取り付けられたＲＦＩＤ２１から配達情報を読み出すようにしたが、特に郵便物に限らなくても良い。
【図面の簡単な説明】
【００３５】
【図１】本発明の一実施の形態に係わる無線タグケースを使用するＲＦＩＤ読取装置を示す全体図。
【図２】同実施の形態に係わる郵便物の平面図。
【図３】同実施の形態に係わるＲＦＩＤ読取装置に設けられたアンテナの配置図。
【図４】同実施の形態に係わるＲＦＩＤリーダの読取可能領域を示す図。
【図５】同実施の形態に係わるＲＦＩＤ読取装置のシステム構成図。
【図６】同実施の形態に係わる要部構成図。
【符号の説明】
【００３６】
１０…ＲＦＩＤ読取装置、１１…郵袋、１１ａ…ケース本体、１２…仕切り板、１３…表札タグ、２０…表示装置。
【図１】
2005165457.tif 000003
【図２】
2005165457.tif 000004
【図３】
2005165457.tif 000005
【図４】
2005165457.tif 000006
【図５】
2005165457.tif 000007
【図６】
2005165457.tif 000008